(57)【要約】      （修正有）【課題】携帯ゲーム機の画像、音声を大きなサイズの表示装置が受信できる信号に転換後、転送して大きなサイズの画像表示装置で再生するための携帯ゲーム機用信号転換装置を提供する。【解決手段】上端に画像キャプチャ１２を設け、蓋体１３で閉じることができる画像キャプチャ取り付け部１１を設け、長手方向の一方の側面の下端に内側に電源線、AV端子ケーブル、音源ケーブルを接続することが可能な制御回路を嵌設する回路収納部１４を設け、該回路収納部の底端に平板状の固定板１６を一体に形成し、該回路収納部を形成する側面に対向する側面の下端縁部に円弧状を呈するように係合板を一体に形成するハウジング１０からなり、固定板と係合板で携帯ゲーム機に係合し、携帯ゲーム機の液晶モニタの映像をキャプチャして大きいサイズの画像表示装置が受信できる信号に転換して大きいサイズの画像表示装置のスクリーン上に映し出す。【選択図】図1
0003117364.tif 000002
【実用新案登録請求の範囲】
【請求項１】
上端に画像キャプチャを設け、蓋体で閉じることができる画像キャプチャ取り付け部を設け、長手方向の一方の側面の下端に内側に電源線、AV端子ケーブル、音源ケーブルを接続することが可能な制御回路を嵌設する回路収納部を設け、該回路収納部の底端に平板状の固定板を一体に形成し、該回路収納部を形成する側面に対向する側面の下端縁部に円弧状を呈するように係合板を一体に形成するハウジングからなり、固定板と係合板で携帯ゲーム機に係合し、携帯ゲーム機の液晶モニタの映像をキャプチャして大きいサイズの画像表示装置が受信できる信号に転換して大きいサイズの画像表示装置のスクリーン上に映し出す構造を特徴とする携帯ゲーム機用信号転換装置,
【請求項２】
前記ハウジングは非透過性で下端を開口端とする中空の錐体を呈するように形成することを特徴とする請求項1に記載する携帯ゲーム機用信号転換装置。
【請求項３】
前記画像キャプチャ装置は、撮影モジュールが相補型金属酸化膜半導体(Complementary  Metal  Oxide  Semiconductor、CMOS)モジュールもしくは結合荷電素子（Charge  Coupled  Device、CCD)モジュールであることを特徴とする藷求項1に記載する携帯ゲーム機用信号転換装。
【請求項４】
前記固定板は、表面に携帯ゲーム機に形成された孔に対応する貫通孔が形成されているため、ネジでハウジングと携帯ゲーム機を固定することができることを特徴とする請求項1に記載する携帯ゲーム機用信号転換装置。
【請求項５】
前記音源ケーブルは、携帯ゲーム機のヘッドフォン挿入口に接続して音声信号をキャプチャすることを特徴とする請求項1に記載する携帯ゲーム機用信号転換装置。
【考案の詳細な説明】
【技術分野】
【０００１】
この考案は、携帯ゲーム機用信号転送装置に関し、特に携帯ゲーム機の画像信号と音声信号を大きいサイズの画像表示装置が受信できる信号に転換して転送する携帯ゲーム機用信号転送装置に関する。
【背景技術】
【０００２】
携帯ゲーム機の内PSP(Play  Station  Portable.PSPは株式会社ソニー・コンピュータエンタティメントが商標登録している)は、台湾においても人気のある携帯ゲーム機の1つである。携帯ゲーム機は、利用者が携帯し易いように、軽量で、薄く、小型にデザインされているため、画像表示装置の液晶モニタ(LCD)にも小さいサイズのものが設けられている。
【０００３】
しかしながら、携帯ゲーム機の主な利用者は、未成年に集中している。よって、携帯ゲーム機の画像表示装置のサイズが小さいため、表示される文字も小さい、画像表示装置の背景が薄暗いなどの状況で長時間使用すると、利用者の目はかなり疲労し、視力が低下するなどの状況が容易に発生する。
【０００４】
また、携帯ゲーム機の機能が日進月歩で進んでいることや、立体音声のゲームソフトや光の効果、高画質画面などの効果も手伝って、未成年の利用者はゲームで遊ぶのと同時に、臨場感や音声、光の効果を体感できるようになっている。これによりゲームをする時の面白みや目新しさなどがさらに増加した。
【０００５】
しかしながら、上述のように小さいサイズの液晶モニタを使用した携帯ゲーム機では、画像表示装置のサイズが小さいため、臨場感に欠けるといえる。
【考案の開示】
【考案が解決しようとする課題】
【０００６】
従来の携帯ゲーム機は、画像表示装置の画面のサイズが小さいため、長時間使用すると、目がかなり疲労し、視力低下の原因となる。また、画面のサイズが小さいため、動画を再生した場合、例えば、画面のサイズが大きい他の表示装置で再生した場合の臨場感、面白みなどが感じられない。
【０００７】
そこで、この考案は携帯ゲーム機の画像、音声を大きなサイズの表示装置が受信できる信号に転換後、転送して大きなサイズの画像表示装置で再生するための携帯ゲーム機用信号転換装置を提供することを課題とする。
【課題を解決するための手段】
【０００８】
この考案者は、従来の技術に鑑み鋭意研究を重ねた結果、上端に画像キャプチャを設け、蓋体で閉じることができる画像キャプチャ取り付け部を設け、長手方向の一方の側面の下端に内側に電源線、AV端子ケーブル、音源ケーブルを接続することが可能な制御回路を嵌設する回路収納部を設け、該回路収納部の底端に平板状の固定板を一体に形成し、該回路収納部を形成する側面に対向する側面の下端縁部に円弧状を呈するように係合板を一体に形成するハウジングからなり、固定板と係合板で携帯ゲーム機に係合し、携帯ゲーム機の液晶モニタの映像をキャプチャして大きいサイズの画像表示装置が受信できる信号に転換して各種大きいサイズの画像表示装置のスクリーン上に映し出すことができる携帯ゲーム機用信号転換装置によって課題を解決できる点に着眼し、係る知見に基づき本発明を完成させた。以下、この発明について具体的に説明する。
【０００９】
請求項1に記載する携帯ゲーム機用信号転換装贋は、上端に画像キャプチャを設け、蓋体で閉じることができる画像キャプチャ取り付け部を設け、長手方向の一方の側面の下端に内側に電源線、AV端子ケーブル、音源ケーブルを接続することが可能な制御回路を嵌設する回路収納部を設け、該回路収納部の底端に平板状の固定板を一体に形成し、該回路収納部を形成する側面に対向する側面の下端縁部に円弧状を呈するように係合板を一体に形成するハウジングからなり、固定板と係合板で携帯ゲーム機に係合し、携帯ゲーム機の液晶モニタの映像をキャプチャして大きいサイズの画像表示装置が受信できる信号に転換して各種大きいサイズの画像表示装置のスクリーン上に映し出すことができる。
【００１０】
請求項2に記載する携帯ゲーム機用信号転換装置は、請求項1におけるハウジングが非透過性で下端を開ロ端とする中空の錐体を呈するように形成する。
【００１１】
請求項3に記載する携帯ゲーム機用信号転換装置は、請求項1における画像キャプチャ装置が、撮影モジュールが相補型金属酸化膜半導体(Complementary  Metal  Oxide  Semiconductor、CMOS)モジュールもしくは結合荷電素子(Charge  Coupled  Device、CCD)モジュールである。
【００１２】
請求項4に記載する携帯ゲーム機用信号転換装置は、請求項1における固定板か、表面に携帯ゲーム機に形成された孔に対応する貫通孔が形成されているため、ネジでハウジングと携帯ゲーム機を固定することができる。
【００１３】
請求項5に記載する携帯ゲーム機用信号転換装置は、請求項1に記載する音源ケーブルが、携帯ゲーム機のヘッドフォン挿入口に接続して音声信号をキャプチャする。
【考案の効果】
【００１４】
この考案の携帯ゲーム機用信号転換装置は、大きいサイズの画像表示装置にゲーム機の画像を表示することができるため、ゲームにおける臨場感や面白みが高まるとともに、小さいサイズの画面で表示した場合に比べて、目が疲れ難く、視力が低下し難いという効果を有する。
【考案を実施するための最良の形態】
【００１５】
この考案は、携帯ゲーム機の画像信号と音声信号を外部のデバイスに転送する携帯ゲーム機用信号転送装置であって、上端に画像キャプチャを設け、蓋体で閉じることができる画像キャプチャ取り付け部を設け、長手方向の一方の側面の下端に内側に電源線、AV端子ケーブル、音源ケーブルを接続することが可能な制御回路を嵌設する回路収納部を設け、該回路収納部の底端に平板状の固定板を一体に形成し、該回路収納部を形成する側面に対向する側面の下端縁部に円弧状を呈するように係合板を一体に形成するハウジングからなり、固定板と係合板で携帯ゲーム機に係合し、携帯ゲーム機の液晶モニタの映像をキャプチャして大きいサイズの画像表示装置が受信できる信号に転換して各種大きいサイズの画像表示装置のスクリーン上に映し出す目的を実現した。係る構成の携帯ゲーム機用信号転換装置ついて、その構造と特徴を詳述するために具体的な実施例を挙げ、以下に説明する。
【実施例】
【００１６】
図1、2に開示するように、携帯ゲーム機用信号転換装置1は、ハウジング10などを具えてなる。該ハウジング10は、非透過性の材質で、下端を開口端とする中空の上端が底端よりも細い錐体を呈するように形成される。また、該ハウジング10の上端には画像キャプチャ装置12を設けるために供する画像キャプチャ取り付け部11が形成され、該ハウジング10の上端を被覆する蓋体13を被せると、画像キャプチャ装置12が完全にハウジング10の内部に隠れて外部からは見えなくなるため、光が入り画像のキャプチャが行い難くなることを防ぐ。また、該ハウジング10の長手方向の一方の側面の下端に回路収納部14が設けられる。該回路収納部14の内部には制御回路15(図示しない)が嵌設される。該制御回路15は、電源線、AV端子ケーブル、音源ケーブルに接続が可能で、該電源線は電力を供給し、該AV端子ケーブルはAV信号を大型の画像表示装置に送信し、該音源ケーブルは携帯ゲーム機2から音声信号を得るため、携帯ゲーム機2のヘッドフォン挿入口に接続する。該回路収納部14の底端面には該ハウジング10と一体に形成される平板状の固定板16が設けられ、該回路収納部14を形成する側面に対向する側面の下端縁部には図3に開示するように、該ハウジング10と一体に形成され、円弧状を呈する係合板17が設けられる。該固定板16と係合板17は、携帯ゲーム機2の長手方向の両側面に密接し、かつ係合板16は携帯ゲーム機2に係合し、ハウジング10を位置決めする効果を有するため、携帯ゲーム機2とハウジング10が外れ難くなる。該固定板16上には貫通孔が設けられ、該貫通孔は携帯ゲーム機2上に設けられた孔に対応しているため、ネジなどでハウジング10と携帯ゲーム機2とを強固に固定することができる。
【００１７】
上述の画像キャプチャ12は撮影モジュールが相補型金属酸化膜半導体(Complimentary  Metal  Oxide  Semiconductor、以下CMOSと称す)モジュールもしくは結合荷電素子(Charge  Coupled  Device、以下CCDと称す)モジュールである。
【００１８】
上述の制御回路15は、プログラム式の体積電子回路からなり、画像キャプチャ装置12を通して携帯ゲーム機2から得た画像信号を大型の画像表示装置が受信することのできる信号に転換し、転送する機能を有する。また、該画像信号は携帯ゲーム機2のヘッドフォンコネクタから得られた音声信号と合わせて大きなサイズの画像表示装置が受信できる信号に転換されて、AV端子ケーブルにより大きなサイズの画像表示装置(テレビ、コンピュータなど)へ送信される。
【００１９】
該携帯ゲーム機用信号転換装置1は携帯ゲーム機2と接続して使用される。該携帯ゲーム機用画像信号転換装置１と携帯ゲーム機を接続する方法は、固定板16と係合板17で携帯ゲーム機2の長手方向の両側面を挟むように密接させて係合板17で携帯ゲーム機2を係合して携帯ゲーム機2の画像表示装置を位置決めし、該携帯ゲーム機用信号転換装置1の底端面が携帯ゲーム機2の画像表示装置を被覆するように設け、必要であれば、ネジで固定する。
【００２０】
使用する場合には、画像キャプチャ装置12で携帯ゲーム機2の液晶モニタの映像(VIDEO)を直接キャプチャし、携帯ゲーム機2のヘッドフォン挿入口に接続している音源ケーブルから直接、音声信号(AUDIO)をキャプチャして、制御回路15によりそれらの信号を各種大型画面(テレビ、コンピニータなど)が受信できる信号に転換して、AV端子コードを通して大きいサイズの画像表示装置に転送すると、携帯ゲーム機2の液晶モニタ画面の映像が、携帯ゲーム機用信号転換装置1の作用により各種大きいサイズの画像表示装置の画面上に映し出される。
【００２１】
前述した使用方法は非常に簡単であるだけでなく、大きいサイズの画像表示装置に色とりどりの映像が映し出されるため、ゲームの面白みも増加して目新しさと美観を具える。また、音声の効果と光の効果で臨揚感を高めるとともに、画面のサイズが大きいため小さなサイズの画面を使用した場合に比べて目が疲れ難く、視力の低下など目に有害な状況を防ぐことができる。
【００２２】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする、
【図面の簡単な説明】
【００２３】
【図１】この考案の携帯ゲーム機用信号転換装置を示した分解図である。
【図２】図1に開示した携帯ゲーム機用信号転換装置を示した斜視図である。
【図３】図1に開示した携帯ゲーム機用信号転換装置を示した背面図である。
【図４】図1に開示した携帯ゲーム機用信号転換装置を示した側面図である。
【図５】図1に開示した携帯ゲーム機川信号転換装置の使用状態を示した斜視図である。
【符号の説明】
【００２４】
1  携帯ゲーム機用信号転換装置
10  ハウジング
11  画像キャプチャ取り付け部
12  画像キャプチャ装置
13  蓋体
14  回路収納部
15  制御回路
16  固定板
17  係合板
2       
携帯ゲーム機
【図１】
0003117364.tif 000003
【図２】
0003117364.tif 000004
【図３】
0003117364.tif 000005
【図４】
0003117364.tif 000006
【図５】
0003117364.tif 000007